(57)【特許請求の範囲】
【請求項１】
周壁１上端部から上部小径のテーパ状肩部２を介して、かつ該肩部上端から第１内向きフランジ３を介して口頸部４を起立すると共に、肩部外周部に複数の係合凹溝５を縦設し、かつ口頸部下部に第１係合突条６を周設した容器体Ａと、
上記テーパ状肩部２外面へ嵌合させた上部小径のテーパ状筒７上端から第２内向きフランジ８を突設し、該第２内向きフランジを弾性支持する支持バネ９を第２内向きフランジ８下面から突設して、該支持バネ下端を上記第１内向きフランジ３上面へ係合させ、又第２内向きフランジ８のフランジ孔内縁から短筒部１０を起立して、該短筒部外面に第１鋸状歯１１を周設すると共に、短筒部１０下部内面に上向き段部１２を形成して、該上向き段部上面を上記第１係合突条６下面へ係合させ、更に上記テーパ状筒７下部内面に複数の第２係合突条１３を縦設して、該第２係合突条を上記係合凹溝５へ上下動自在に係合させた操作筒Ｂと、
上記容器体口頸部４外面へ着脱自在に内周壁１４を螺合させると共に、該内周壁を囲成して垂下する外周壁１５の内面に、上記第１鋸状歯１１とキャップ螺脱時に噛合う第２鋸状歯１６を周設したキャップＣとを有し、
上記第１鋸状歯１１と第２鋸状歯１６とを、上記操作筒Ｂを上記支持バネ９の弾力に抗して押し下げることにより、第２鋸状歯１６から第１鋸状歯１１が下方へ離脱可能に設けた、
ことを特徴とするキャップ付き容器。
【請求項２】
上記口頸部４の上部内面へ筒下部を嵌合させると共に、筒下部外面から突設した外向き係合フランジ２２を口頸部上面へ係合させた注出筒２１の上部内面を小内径にして下向き段部２３を形成し、該下向き段部下面に板上面を係合させた係合板２５の上面中央部から直立柱２４を起立して、該直立柱上端部を注出筒２１上面から突出させ、かつ、直立柱２４外面に複数の長溝２６を縦設すると共に、該長溝間の隔壁外面を注出筒２１上部内面へ摺動自在に係合させ、又上記係合板２５下面外周部から螺旋バネ２７を突設して、該螺旋バネ下端を注出筒２１下端部内面へ嵌合させて係合板２５を上方付勢し、更に上記キャップＣは上記内周壁１４上端から起立する起立筒１７と、該起立筒上面を閉塞する頂壁１８と、起立筒１７下部内面から垂下して上記外向き係合フランジ２２上面へ水密に当接する第１垂下壁１９と、頂壁１８下面から垂下して上記注出筒２１上部外面へ離脱可能に嵌合する第２垂下壁２０とを有する、
ことを特徴とする請求項１記載のキャップ付き容器。
【発明の詳細な説明】
【０００１】
【発明の属する技術分野】
本発明はキャップを容器体口頸部へ螺合させて口頸部上面を閉塞させるキャップ付き容器に関する。
【０００２】
【従来の技術】
周壁上端部から肩部を介して口頸部を起立し、該口頸部外面へキャップを螺合させることにより口頸部上面を閉塞させるキャップ付き容器は周知である。
【０００３】
【発明が解決しようとする課題】
上記のような容器では、キャップを回して口頸部から取り外すだけで開栓可能であり、従って、子供でも容易に開栓することができ、このため容器体内の液体等をこぼす等して家具等に付着させるおそれがあった。
【０００４】
請求項１及び２記載のキャップ付き容器は、容器体周壁に操作筒を上下動自在に設けると共に、該操作筒外面に第１鋸状歯を形成し、また、キャップの外周壁内面にキャップ螺脱時に第１鋸状歯に噛合う第２鋸状歯を形成し、かつ、操作筒の下方押圧により第１鋸状歯を第２鋸状歯から下方へ離脱可能に設けることにより、操作筒を下方へ押圧操作しない限りキャップが開方向へ回らないようにして本来の使用目的以外の開栓を極力防止しようとするものである。
【０００５】
【課題を解決するための手段】
第１の手段として、周壁１上端部から上部小径のテーパ状肩部７を介して、かつ該肩部上端から第１内向きフランジ３を介して口頸部４を起立すると共に、肩部外周部に複数の係合凹溝５を縦設し、かつ口頸部下部に第１係合突条６を周設した容器体Ａと、
上記テーパ状肩部７外面へ嵌合させた上部小径のテーパ状筒７上端から第２内向きフランジ８を突設し、該第２内向きフランジを弾性支持する支持バネ９を第２内向きフランジ８下面から突設して、該支持バネ下端を上記第１内向きフランジ３上面へ係合させ、又第２内向きフランジ８のフランジ孔内縁から短筒部１０を起立して、該短筒部外面に第１鋸状歯１１を周設すると共に、短筒部１０下部内面に上向き段部１２を形成して、該上向き段部上面を上記第１係合突条６下面へ係合させ、更に上記テーパ状筒７下部内面に複数の第２係合突条１３を縦設して、該第２係合突条を上記係合凹溝５へ上下動自在に係合させた操作筒Ｂと、
上記容器体口頸部４外面へ着脱自在に内周壁１４を螺合させると共に、該内周壁を囲成して垂下する外周壁１５の内面に、上記第１鋸状歯１１とキャップ螺脱時に噛合う第２鋸状歯１６を周設したキャップＣとを有し、
上記第１鋸状歯１１と第２鋸状歯１６とを、上記操作筒Ｂを上記支持バネ９の弾力に抗して押し下げることにより、第２鋸状歯１６から第１鋸状歯１１が下方へ離脱可能に設けた。
【０００６】
第２の手段として、上記第１の手段を有すると共に、上記口頸部４の上部内面へ筒下部を嵌合させると共に、筒下部外面から突設した外向き係合フランジ２２を口頸部上面へ係合させた注出筒２１の上部内面を小内径にして下向き段部２３を形成し、該下向き段部下面に板上面を係合させた係合板２５の上面中央部から直立柱２４を起立して、該直立柱上端部を注出筒２１上面から突出させ、かつ、直立柱２４外面に複数の長溝２６を縦設すると共に、該長溝間の隔壁外面を注出筒２１上部内面へ摺動自在に係合させ、更に上記係合板２５下面外周部から螺旋バネ２７を突設して、該螺旋バネ下端を注出筒２１下端部内面へ嵌合させて係合板２５を上方付勢し、更に上記キャップＣは上記内周壁１４上端から起立する起立筒１７と、該起立筒上面を閉塞する頂壁１８と、起立筒１７下部内面から垂下して上記外向き係合フランジ２２上面へ水密に当接する第１垂下壁１９と、頂壁１８下面から垂下して上記注出筒２１上部外面へ離脱可能に嵌合する第２垂下壁２０とを有する。
【０００７】
【発明の実施の形態】
以下、本発明の実施形態を図面を参照しながら説明する。
Ａは容器体で、周壁１上端部から上部小径のテーパ状肩部２を介して、かつ該テーパ状肩部上端から第１内向きフランジ３を介して口頸部４を起立し、該口頸部外面に雄ねじを形成する。さらに、テーパ状肩部２の外周部外面に複数の係合凹溝５を縦設すると共に、口頸部４の下端部外面に第１係合突条６を周設する。
【０００８】
Ｂは操作筒で、テーパ状肩部２外面へ嵌合させた上部小径のテーパ状筒７上端から第２内向きフランジ８を突設する。そして、該第２内向きフランジ下面から支持バネ９を突設して、該支持バネ下端を第１内向きフランジ３上面へ係合させる。支持バネ９は第２内向きフランジ８を弾性支持するためのもので、該支持バネ９としては図示例の如く周方向へ湾曲した弾性片を、第２内向きフランジ８下面から周方向に所定の間隔をおいて多数突設して、弾性片下部を第１内向きフランジ３上面へ載置させたものでもよく、或いは、口頸部４を囲成するコイル状バネであってもよい。
【０００９】
第２内向きフランジ８のフランジ孔内縁から短筒部１０を起立して、該短筒部外面に第１鋸状歯１１を周設すると共に、短筒部下部内面に上向き段部１２を形成して、該上向き段部上面を第１係合突条６下面へ係合させる。
さらに、テーパ状筒７下部内面に複数の第２係合突条１３を縦設して、該第２係合突条を係合凹溝５へ上下動自在に係合させる。
【００１０】
Ｃはキャップで、内面に雌ねじを有する内周壁１４を容器体口頸部４外面へ着脱自在に螺合させると共に、該内周壁上端外面から外向きフランジ状連結壁を介して垂下する外周壁１５内面に、キャップ螺合時には第１鋸状歯１１に噛合うことなく、キャップ螺脱時に第１鋸状歯１１に噛合う第２鋸状歯１６を周設する。
これら第１鋸状歯１１と第２鋸状歯１６とは、操作筒Ｂを支持バネ９の弾力に抗して押し下げることにより、第２鋸状歯１６から第１鋸状歯１１が下方へ離脱可能に形成する。
【００１１】
さらに、内周壁１４上端から起立筒１７を起立して、該起立筒上面を頂壁１８で閉塞する。そして、起立筒１７下部内面から垂下する第１垂下壁１９を後述の注出筒２１の外向き係合フランジ２２上面へ水密に当接させると共に、頂壁１８下面から垂下する第２垂下壁２０を注出筒上端部外面へ離脱可能に嵌合させる。
【００１２】
２１は注出筒で、口頸部４の上端部内面へ筒下部を嵌合させると共に、筒下部外面から突設した外向き係合フランジ２２を口頸部４上面へ載置させ、かつ、筒上端部内面を小内径にして下向き段部２３を形成する。
【００１３】
２４は直立柱で、下向き段部２３下面へ板上面を係合させた係合板２５の上面中央部から柱部を起立して、該柱部上端部を注出筒２１上面から突出させ、かつ、柱部外面に複数の長溝２６を縦設すると共に、該長溝間の隔壁外面を注出筒２１上部内面へ摺動自在に係合させる。さらに、係合板２５下面外周部から上方小径の螺旋バネ２７を突設して、該螺旋バネ下端を注出筒２１下端部内面へ嵌合させて係合板２５を上方付勢する。
【００１４】
次に本実施形態の作用について説明する。
図２に示すキャップＣの開栓状態から閉栓するには、キャップＣを口頸部４外面へ嵌合させて時計方向へ螺合させればよく、するとキャップＣは螺合により下降して第２鋸状歯１６が第１鋸状歯１１外面へ嵌合する。この状態を示すのが図１である。
同図に示す閉栓状態から開栓すべくキャップＣを螺脱方向へ回そうとすると第２鋸状歯１６が第１鋸状歯１１に噛合うため開栓は不可能である。
【００１５】
キャップＣを開栓するためには操作筒Ｂを支持バネ９の弾力に抗して押し下げればよく、すると第１鋸状歯１１が第２鋸状歯１６から下方へ離脱するため、キャップＣを螺脱方向へ回すことが可能になる。
なお、キャップＣは螺脱方向への回動により上昇するため、開栓途中での操作筒Ｂの押下げの解除により、操作筒Ｂが支持バネ９の弾力で上昇しても第１鋸状歯１１が第２鋸状歯１６に噛合うことがない。
【００１６】
【発明の効果】
請求項１及び２記載のキャップ付き容器は、容器体周壁に操作筒を上下動自在に設けると共に、該操作筒外面に第１鋸状歯を形成し、また、キャップの外周壁内面にキャップ螺脱時に第１鋸状歯に噛合う第２鋸状歯を形成し、かつ、操作筒の下方押圧により第１鋸状歯を第２鋸状歯から下方へ離脱可能に設けたので、キャップを閉栓方向へ回そうとしても操作筒を下方へ押圧しない限り不可能であり、従って、子供の悪戯による汚損等の発生を未然に防止することができる。
【図面の簡単な説明】
【図１】本発明に係るキャップ付き容器の閉栓状態を示す断面図。
【図２】同じく、キャップ付き容器の開栓状態を示す斜視図。
【図３】同じく、図１のＸ−Ｘ線に沿う断面図。
【符号の説明】
１  周壁
２  テーパ状肩部
３  第１内向きフランジ
４  口頸部
５  係合凹溝
６  第１係合突条
７  テーパ状筒
８  第２内向きフランジ
９  支持バネ
１０  短筒部
１１  第１鋸状歯
１２  上向き段部
１３  第２係合突条
１４  内周壁
１５  外周壁
１６  第２鋸状歯
１７  起立筒
１８  頂壁
１９  第１垂下壁
２０  第２垂下壁
２１  注出筒
２２  外向き係合フランジ
２３  下向き段部
２４  直立柱
２５  係合板
２６  長溝
２７  螺旋バネ
Ａ  容器体
Ｂ  操作筒
Ｃ  キャップ
【図１】
0003750839.tif 000002
【図２】
0003750839.tif 000003
【図３】
0003750839.tif 000004